(57)【要約】【課題】非使用時に、筆記用ボールがチップ先端部の内壁面に密接するボールペンチップにおいて、筆記用ボールの略中心に、押圧力を付与することができ、書き味が滑らかなボールペンチップを提供することである。【解決手段】本発明は、中央にインキ流通孔と、該インキ流通孔から放射状に延びる放射状溝を有するボール抱持室内に筆記用ボールを挿入し、チップ先端部を内側にかしめることにより、筆記用ボールの一部をチップ先端部より突出させて回転自在に抱持してなるボールペンチップにおいて、前記筆記用ボールの後方に、該筆記用ボールの直径よりも小さい支持ボールを３個以上、回転自在に配設するとともに、前記支持ボールの後方に、前記支持ボールが当接する支持ボール受け部を設けるとともに、該支持ボール受け部が、前記ボールペンチップの軸心側に向かってチップ先端部側へ突出する形状であることを特徴とする。【選択図】        図１
2011011356.tif 000002
【特許請求の範囲】
【請求項１】
中央にインキ流通孔と、該インキ流通孔から放射状に延びる放射状溝を有するボール抱持室内に筆記用ボールを挿入し、チップ先端部を内側にかしめることにより、筆記用ボールの一部をチップ先端部より突出させて回転自在に抱持してなるボールペンチップにおいて、前記筆記用ボールの後方に、該筆記用ボールの直径よりも小さい支持ボールを３個以上、回転自在に配設するとともに、前記支持ボールの後方に、前記支持ボールが当接する支持ボール受け部を設けるとともに、該支持ボール受け部が、前記ボールペンチップの軸心側に向かってチップ先端部側へ突出する形状であることを特徴とするボールペンチップ。
【請求項２】
前記支持ボール受け部が、前記ボールペンチップの軸心側に向かってチップ先端部側へ突出する突曲面であることを特徴とする請求項１に記載のボールペンチップ。
【請求項３】
前記支持ボール受け部が、支持ボールの後方に回転自在に配設した、前記支持ボールの径よりも大径の受けボールであることを特徴とする請求項２に記載のボールペンチップ。
【請求項４】
前記受けボールの後方に、前記受けボールをチップ先端側に押圧するコイルスプリングを配設したことを特徴とする請求項３に記載のボールペンチップ。
【請求項５】
前記支持ボールの外径が、前記インキ流通孔の孔径よりも小さいことを特徴とする請求項１ないし４の何れか１項に記載のボールペンチップ。
【請求項６】
前記ボール抱持室の側壁に、凹部を形成したことを特徴とする請求項１ないし５の何れか１項に記載のボールペンチップ。
【発明の詳細な説明】
【技術分野】
【０００１】
本発明は、中央にインキ流通孔と、該インキ流通孔から放射状に延びる放射状溝を有するボール抱持室内に筆記用ボールを挿入し、チップ先端部を内側にかしめることにより、筆記用ボールの一部をチップ先端部より突出させて回転自在に抱持してなるボールペンチップに関する。
【背景技術】
【０００２】
中央にインキ流通孔と、該インキ流通孔から放射状に延びる放射状溝を有するボール抱持室内に筆記用ボールを挿入し、チップ先端部を内側にかしめることにより、筆記用ボールの一部をチップ先端部より突出させて回転自在に抱持してなるボールペンチップはよく知られている。
【０００３】
こうしたボールペンチップにおいて、特開２０００−１０８５７３号公報「ボールペンチップ」では、ボールの後方に、球状の支持ボールを配設し、ボールと支持ボールを球面接触させることで、書き味を滑らかにする構造が開示されている。
【０００４】
また、特開２００６−１２３４１１号公報「ボールペンチップ」では、底壁に、円周状の凹曲面を形成し、この凹曲面に沿って支持ボールを周方向へ回転移動自在に配置することが開示されている。
【先行技術文献】
【特許文献】
【０００５】
【特許文献１】「特開２０００−１０８５７３号公報」
【特許文献２】「特開２００６−１２３４１１号公報」
【発明の概要】
【発明が解決しようとする課題】
【０００６】
ところで、ボールペンチップのボール抱持室の底壁は、インキ流通孔からチップ先端方向に向かって拡がるように傾斜する、すり鉢状に形成してある。そのため、インキ流通孔径よりも小さい支持ボールをボール抱持室に挿入すると、インキ流通孔方向に支持ボールが転がり、インキ流通孔からチップ後方へ抜け落ちてしまう恐れがある。
【０００７】
そのため、こうしたボールペンチップの製造方法においては、支持ボールの挿入時には、インキ流通孔を閉鎖したり、インキ流通孔径よりも支持ボールを大径にしたりすることが考えられる。
【０００８】
しかし、予めインキ流通孔を閉鎖してあっても、筆記用ボールの挿入時やかしめ加工時等、インキ流通孔からの支持ボールの抜け落ちを完全に防止することはできない。また、インキ流通孔近傍に支持ボールが集まりやすく、支持ボール同士が接触し易く、スムーズな回転が得られないという問題がある。
【０００９】
また、特許文献２のように、底壁に、円周状の凹曲面を形成する場合でも、インキ流通孔近傍に支持ボールが集まらないように、支持ボールを保持しておく等、新たな課題が発生する。
【００１０】
本発明は上記問題を鑑み、書き味が滑らかなボールペンチップを、簡単な構造で提供するものである。
【課題を解決するための手段】
【００１１】
前記目的を達成するために本発明では、中央にインキ流通孔と、該インキ流通孔から放射状に延びる放射状溝を有するボール抱持室内に筆記用ボールを挿入し、チップ先端部を内側にかしめることにより、筆記用ボールの一部をチップ先端部より突出させて回転自在に抱持してなるボールペンチップにおいて、前記筆記用ボールの後方に、該筆記用ボールの直径よりも小さい支持ボールを３個以上、回転自在に配設するとともに、前記支持ボールの後方に、前記支持ボールが当接する支持ボール受け部を設けるとともに、該支持ボール受け部が、前記ボールペンチップの軸心側に向かってチップ先端部側へ突出する形状であることを特徴とする。
【００１２】
また、前記支持ボール受け部が、前記ボールペンチップの軸心側に向かってチップ先端部側へ突出する突曲面であることを特徴とする。
【００１３】
また、前記支持ボール受け部が、支持ボールの後方に回転自在に配設した、前記支持ボールの径よりも大径の受けボールの表面であることを特徴とする。
【００１４】
さらにまた、前記受けボールの後方に、前記受けボールをチップ先端側に押圧するコイルスプリングを配設したことを特徴とする。
【００１５】
さらにまた、前記支持ボールの外径が、前記インキ流通孔の孔径よりも小さいことを特徴とする。
【００１６】
さらにまた、前記ボール抱持室の底壁に、凹部を形成したことを特徴とする請求項１ないし５の何れか１項に記載のボールペンチップ。
【発明の効果】
【００１７】
本発明は、書き味が滑らかなボールペンチップを、簡単な構造で提供することができた。
【図面の簡単な説明】
【００１８】
【図１】実施例１におけるボールペンチップの一部省略した要部縦断面図である。
【図２】図１におけるＡ−Ａ拡大断面図である。
【図３】実施例２におけるボールペンチップの一部省略した要部縦断面図である。
【図４】図３におけるＢ−Ｂ拡大断面図である。
【発明を実施するための形態】
【００１９】
本願発明の構成によれば、筆記用ボールの後方に、回転可能に支持ボールを配設することによって、筆記用ボールを円滑に回転することができる。また、支持ボールは、ボールペンチップの軸心側に向かってチップ先端部側へ突出する突面からなる支持ボール受け部にて載置してあるため、支持ボールをボール抱持室に挿入しても、インキ流通孔方向に支持ボールが転がり落ちてしまうことがなく、組立性が極めて良好である。
【００２０】
また、前記支持ボール受け部を、前記ボールペンチップの軸心側に向かってチップ先端部側へ突出する突曲面とすることで、支持ボールが回転し易くなり、筆記用ボールの回転をより円滑にすることができる。
【００２１】
さらに、前記支持ボールの後方に回転自在に配設した前記支持ボールの径よりも大径の受けボールの表面を支持ボール受け部とすることで、受けボールを挿入することにより支持ボール受け部を得ることができるので、製造上、最も好ましく、さらに、受けボールも回転可能に配設することにより、支持ボールの回転が円滑になり、その結果、筆記用ボールを円滑に回転することができる効果も奏する。
【実施例１】
【００２２】
以下、図面を参照して本発明の実施例を説明するが、本発明のボールペンチップは実施例に限定されるものではない。尚、図面中、同じ部材、同じ部品については同じ番号を付してある。
【００２３】
図１、図２に示す実施例１のボールペンチップ１は、チップ本体２の中央にインキ流通孔７と該インキ流通孔７に連通する放射状に延びた６本の放射状溝６を有したボール抱持室３に、タングステンカーバイド系の超硬ボールからなり、インキ流通孔７径よりも小さい径の６個の支持ボール９を、ボール抱持室３の底壁からなる支持ボール受け部５に載置させ、この支持ボール９に、支持ボール９より大径のタングステンカーバイド系の超硬ボールからなる筆記用ボール８を載置し、チップ先端部４を内側にかしめことにより、筆記用ボール８の一部がチップ先端部４より突出するように回転自在に抱持している。
【００２４】
支持ボール受け部５は、ボールペンチップ１の軸心Ｊ側に向かってチップ先端部４側へ突出するボール抱持室３の底面から形成されているので、チップ先端部４を上向きにして支持ボール９を挿入すると、支持ボール９の自重により、軸心から離間するように転がり、ボール抱持室３の側壁と支持ボール受け部４間に配置されるので、支持ボール９の外径が、インキ流通孔７の孔径よりも小さくても、インキ流通孔に落下し難くすることができる。
【００２５】
筆記時は、６個の支持ボール９が、筆記用ボール８から伝わる筆圧を受け止めるが、筆記用ボール８と支持ボール９とが球面接触しているために、筆記用ボール８の回転を円滑にすることができる。
【実施例２】
【００２６】
図３、図４に示す実施例２のボールペンチップ１１は、実施例１と同様に、チップ本体１２の中央にインキ流通孔１７と該インキ流通孔１７に連通する放射状に延びた６本の放射状溝１６を有し、段状に形成したボール抱持室１３に、タングステンカーバイド系の超硬ボールからなる受けボール２０をボール抱持室１３の底壁１５に載置し、この受けボール２０が支持ボール受け部となり、受けボール２０に、受けボール２０より小径の支持ボール１９を３個載置し、さらに、受けボール２０及び支持ボール１９よりも大径の筆記用ボール１８を載置し、チップ先端部１４を内側にかしめことにより、筆記用ボール１８の一部がチップ先端部１４より突出するように回転自在に抱持している。また、受けボール２０の後方には、受けボール２０をチップ先端部１４側に押圧する、先端部に棒軸部を有するコイルスプリング２２を配設してある。
【００２７】
筆記用ボール１８は、非使用時には、受けボール２０及び支持ボール１９を介して、コイルスプリング２２の押圧力によってチップ先端部１４の内壁面に密接しているとともに、筆記時の筆圧によって筆記用ボール１８とチップ先端部１４の内壁とに隙間を形成して、インキを紙面等に流出する弁機構となっている。
【００２８】
筆記時に筆記用ボール１８と支持ボール１９とが球面接触、さらに支持ボール１９と受けボール２０が球面接触しているために、筆記用ボール２０の回転を一層滑らかにすることができる。
【００２９】
また、受けボール２０の後方には、受けボール２０をチップ先端部１４側に押圧するコイルスプリング２２を配設することにより、受けボール２０から支持ボール１９を介して筆記用ボール１８を押圧するため、筆記用ボール１８に対して、軸心Ｊに平行の押圧力が付与され易く、安定した押圧力を供することができる。
【００３０】
尚、本発明は、筆記用ボール及び支持ボールの材質は、特に限定されるものではない。但し、筆記用ボールの算術平均粗さ（Ｒａ）よりも、支持ボールの算術平均粗さ（Ｒａ）が小さいほうが好ましい。これは、支持ボールの算術平均粗さ（Ｒａ）が、筆記用ボールの算術平均粗さ（Ｒａ）より大きいと、筆記用ボールの回転の弊害となることが危惧され、線飛び等の筆記不良の原因となるためである。具的的には、支持ボールの算術平均粗さ（Ｒａ）は、５ｎｍ以下であることが望ましい。
【００３１】
また、本実施例では、便宜上、ボール抱持室１３の側壁に軸方向に延びる凹部２１を形成し、支持ボール１９同士の間隔を維持しやすくしてあるが、本願発明は、支持ボール受け部が、前記ボールペンチップの軸心側に向かってチップ先端部側へ突出する形状であるため、筆記用ボールをハンマーリングすることで、押圧力が支持ボール受け部によって、ボール抱持室の側壁側へも働くために、支持ボールによってボール抱持室の側壁に、容易に凹部を形成することができる効果を奏する。
【産業上の利用可能性】
【００３２】
本発明のボールペンチップは、水性、油性、剪断減粘性を付与したインキ等、インキの種類に限定されることなく、ボールペンとして広く利用できるものである。
【符号の説明】
【００３３】
１、１１  ボールペンチップ
２、１２  チップ本体
３、１３  ボール抱持室
４、１４  チップ先端部
５、１５  底壁
６、１６  インキ流通溝
７、１７  インキ流通孔
８、１８  筆記用ボール
９、１９  支持ボール
２０  受けボール
２１  凹部
２２  コイルスプリング
【図１】
2011011356.tif 000003
【図２】
2011011356.tif 000004
【図３】
2011011356.tif 000005
【図４】
2011011356.tif 000006